(57)【要約】【課題】収穫部における収穫対象物のロスを抑制することができる収穫機が要望されている。【解決手段】機体前部に、植立作物を掻き込みながら収穫する収穫部３が備えられた収穫機であって、収穫部３に、植立作物に掻込作用するタインを有する掻込リール１０と、植立作物を切断する切断装置１１と、切断された作物を受け入れるデッキ３１と、切断装置１１の上方を通って切断装置１１よりも前側まで延びると共に刈幅方向に間隔をあけて設けられる複数の受け部材１５と、が備えられ、隣り合う受け部材１５の間に、タインが通過可能なタイン通過部が形成されている。【選択図】図１
2018082651.tif 000002
【特許請求の範囲】
【請求項１】
機体前部に、植立作物を掻き込みながら収穫する収穫部が備えられた収穫機であって、
前記収穫部に、植立作物に掻込作用するタインを有する掻込リールと、植立作物を切断する切断装置と、切断された作物を受け入れるデッキと、前記切断装置の上方を通って前記切断装置よりも前側まで延びると共に刈幅方向に間隔をあけて設けられる複数の受け部材と、が備えられ、
隣り合う前記受け部材の間に、前記タインが通過可能なタイン通過部が形成されている収穫機。
【請求項２】
前記受け部材は、刈幅方向に山部と谷部が並ぶ断面形状の波板状部材によって構成されている請求項１に記載の収穫機。
【請求項３】
隣り合う一対の前記受け部材において、一方側の前記受け部材のうち前記タイン通過部側の端部に、前記タイン通過部に近付くほど上方に位置するように傾斜する上向き傾斜部が形成されており、他方側の前記受け部材のうち前記タイン通過部側の端部に、前記タイン通過部に近付くほど上方に位置するように傾斜する上向き傾斜部が形成されている請求項２に記載の収穫機。
【請求項４】
前記一方側の上向き傾斜部及び前記他方側の上向き傾斜部の夫々に、前記タイン通過部側に突出する弾性部材が取り付けられている請求項３に記載の収穫機。
【請求項５】
前記受け部材は、先細り形状の先端部と、前記先端部から後方に延びる直線部と、を有しており、
前記弾性部材は、前記受け部材のうち、前記先端部と前記直線部との境界箇所から前記切断装置の上方に位置する箇所まで延びている請求項４に記載の収穫機。
【請求項６】
前記タインは、前記受け部材で受け止められた作物を後方に掻き込み可能な第一タインと、前記第一タインよりも長く且つ前記タイン通過部を通過して作物を後方に掻き込み可能な第二タインと、を有している請求項１から５の何れか一項に記載の収穫機。
【発明の詳細な説明】
【技術分野】
【０００１】
本発明は、機体前部に、植立作物を掻き込みながら収穫する収穫部が備えられた収穫機に関する。
【背景技術】
【０００２】
上記のような収穫機として、例えば、特許文献１に記載の収穫機が既に知られている。特許文献１に記載の収穫機では、収穫部（文献では「刈取部」）に、植立作物を切断する切断装置（文献では「刈刃」）が備えられている。
【先行技術文献】
【特許文献】
【０００３】
【特許文献１】特開２０１３−１２８４６６号公報
【発明の概要】
【発明が解決しようとする課題】
【０００４】
ここで、収穫部が植立作物を掻き込む際に、収穫部が植立作物に接触すると、作物のうち収穫対象となる部分（以下「収穫対象物」という。）が植立作物から離脱してしまうことがある。特許文献１に記載の収穫機では、収穫対象物が植立作物から離脱すると、収穫対象物が切断装置の前側の地面に落下してしまって、ロスが生じ易い。
【０００５】
上記状況に鑑み、収穫部における収穫対象物のロスを抑制することができる収穫機が要望されている。
【課題を解決するための手段】
【０００６】
本発明の特徴は、
機体前部に、植立作物を掻き込みながら収穫する収穫部が備えられた収穫機であって、
前記収穫部に、植立作物に掻込作用するタインを有する掻込リールと、植立作物を切断する切断装置と、切断された作物を受け入れるデッキと、前記切断装置の上方を通って前記切断装置よりも前側まで延びると共に刈幅方向に間隔をあけて設けられる複数の受け部材と、が備えられ、
隣り合う前記受け部材の間に、前記タインが通過可能なタイン通過部が形成されていることにある。
【０００７】
本特徴構成によれば、収穫部が植立作物を掻き込む際に、収穫部が植立作物に接触して収穫対象物が植立作物から離脱したとしても、収穫対象物が切断装置の前側の地面に落下する前に、受け部材によって受け止められることになる。これにより、収穫部における収穫対象物のロスを抑制することができる。また、タインがタイン通過部を通過することにより、受け部材がタインの動作を阻害することなく、植立作物をタインによってしっかりと掻き込むことができる。しかも、収穫対象物がタイン通過部に挟まったとしても、収穫対象物をタインによって掻き出すことができる。
【０００８】
さらに、本発明において、
前記受け部材は、刈幅方向に山部と谷部が並ぶ断面形状の波板状部材によって構成されていると好適である。
【０００９】
本特徴構成によれば、受け部材の剛性を向上させることができる。
【００１０】
さらに、本発明において、
隣り合う一対の前記受け部材において、一方側の前記受け部材のうち前記タイン通過部側の端部に、前記タイン通過部に近付くほど上方に位置するように傾斜する上向き傾斜部が形成されており、他方側の前記受け部材のうち前記タイン通過部側の端部に、前記タイン通過部に近付くほど上方に位置するように傾斜する上向き傾斜部が形成されていると好適である。
【００１１】
本特徴構成によれば、タイン通過部に向かって上方から落下する収穫対象物に対して、一方側の上向き傾斜部及び他方側の上向き傾斜部が抵抗になるため、収穫対象物がタイン通過部に挟まり難い。仮に、収穫対象物がタイン通過部に挟まったとしても、収穫対象物が一方側の上向き傾斜部及び他方側の上向き傾斜部によって上方に案内されながら、タインによって掻き出されることになるため、収穫対象物をタインによって容易に掻き出すことができる。
【００１２】
さらに、本発明において、
前記一方側の上向き傾斜部及び前記他方側の上向き傾斜部の夫々に、前記タイン通過部側に突出する弾性部材が取り付けられていると好適である。
【００１３】
本特徴構成によれば、タイン通過部が弾性部材によって覆われているため、植立穀稈をタイン通過部に導入し易くするために、タイン通過部を広くしても、収穫対象物がタイン通過部に挟まり難い。例えば、収穫対象物がタイン通過部に向かって上方から落下しても、収穫対象物がタイン通過部に挟まり難い。また、弾性部材が弾性変形することにより、タイン通過部に導入される植立作物に対して、弾性部材が抵抗になり難い。
【００１４】
さらに、本発明において、
前記受け部材は、先細り形状の先端部と、前記先端部から後方に延びる直線部と、を有しており、
前記弾性部材は、前記受け部材のうち、前記先端部と前記直線部との境界箇所から前記切断装置の上方に位置する箇所まで延びていると好適である。
【００１５】
本特徴構成によれば、タイン通過部のうち先端部と直線部との境界箇所から切断装置の上方に位置する箇所までの範囲において、収穫対象物がタイン通過部に挟まり難くなると共に、タイン通過部のうち先端部に対応する部分（すなわち、タイン通過部の入口）において、タイン通過部に導入される植立穀稈に対して、弾性部材が抵抗になることがなく、植立穀稈をタイン通過部の入口にスムーズに導入することができる。
【００１６】
さらに、本発明において、
前記タインは、前記受け部材で受け止められた作物を後方に掻き込み可能な第一タインと、前記第一タインよりも長く且つ前記タイン通過部を通過して作物を後方に掻き込み可能な第二タインと、を有していると好適である。
【００１７】
本特徴構成によれば、受け部材で受け止められた収穫対象物に対して、第一タインが掻込作用すると共に、タイン通過部に挟まった収穫対象物に対して、第二タインが掻込作用することになる。これにより、受け部材で受け止められた収穫対象物やタイン通過部に挟まった収穫対象物を、確実に回収することができる。
【図面の簡単な説明】
【００１８】
【図１】普通型コンバインを示す左側面図である。
【図２】普通型コンバインを示す平面図である。
【図３】収穫部を示す左側面図である。
【図４】掻込リールを示す左側面図である。
【図５】掻込リールを示す正面図である。
【図６】切断装置及び受け板を示す平面図である。
【図７】切断装置及び受け板を示す左側面断面図である。
【図８】受け板を示す平面図である。
【図９】受け板を示す背面図である。
【図１０】タインを示す正面図である。
【図１１】タインを示す左側面断面図である。
【図１２】収穫部の左側部を示す平面図である。
【図１３】後部メッシュ部材を示す正面図である。
【図１４】左ソリ体を示す斜視図である。
【図１５】右ソリ体を示す斜視図である。
【図１６】ステーを示す左側面断面図である。
【図１７】ステーを示す斜視図である。
【図１８】ステーを示す平面図である。
【図１９】受け板がステーに取り付けられた状態を示す背面図である。
【図２０】収穫部を上昇させた状態を示す左側面図である。
【図２１】厚さが薄い弾性板が受け板に取り付けられた状態を示す背面図である。
【図２２】厚さが薄い弾性板が受け板に取り付けられた状態を示す平面図である。
【図２３】厚さが厚い弾性板が受け板に取り付けられた状態を示す背面図である。
【図２４】厚さが厚い弾性板が受け板に取り付けられた状態を示す平面図である。
【図２５】厚さが厚い弾性板の先端部に切欠部が形成された状態を示す平面図である。
【図２６】第一タイン及び第二タインを有する掻込リールを示す左側面図である。
【図２７】第一タイン及び第二タインを有する掻込リールを示す正面図である。
【図２８】別実施形態に係る受け板を示す平面図である。
【図２９】別実施形態に係る受け板を示す背面図である。
【図３０】別実施形態に係る受け板がステーに取り付けられた状態を示す背面図である。
【発明を実施するための形態】
【００１９】
本発明を実施するための形態について、図面に基づき説明する。なお、以下の説明では、図１及び図２に示す矢印Ｆの方向を「機体前側」、矢印Ｂの方向を「機体後側」、図２に示す矢印Ｌの方向を「機体左側」、矢印Ｒの方向を「機体右側」とする。
【００２０】
〔普通型コンバインの全体構成〕
図１及び図２には、本発明に係る「収穫機」としての普通型コンバインを示している。このコンバインは、稲、麦、そば、大豆、トウモロコシ等の作物を収穫することができる。なお、本実施形態では、作物としてトウモロコシを収穫する作業形態を想定している。
【００２１】
このコンバインには、クローラ式の走行装置１と、走行装置１で支持される機体フレーム２と、が備えられている。機体フレーム２の前部には、植立作物を掻き込みながら収穫する収穫部３が昇降可能に設けられている。収穫部３の後方には、運転キャビン４が設けられている。運転キャビン４の後方には、刈取作物を脱穀する脱穀装置５及び収穫粒を貯留するグレンタンク６が機体左右方向に隣り合う状態で設けられている。グレンタンク６には、グレンタンク６内の収穫粒を排出するアンローダ７が設けられている。
【００２２】
〔収穫部〕
収穫部３には、植立作物を刈取対象と非刈取対象に分ける左右一対のデバイダ９Ｌ・９Ｒと、植立作物を掻き込む掻込リール１０と、植立作物を切断する切断装置１１と、刈取作物を掻き込む掻込オーガ１２と、刈取作物を脱穀装置５に搬送するフィーダ１３と、刈取フレーム１４と、複数の受け板１５（本発明に係る「受け部材」に相当）と、が備えられている。収穫部３では、植立作物が左右一対のデバイダ９Ｌ・９Ｒによって刈取対象と非刈取対象に分けられて、刈取対象の植立作物が掻込リール１０によって掻き込まれる。そして、掻込リール１０で掻き込まれた植立作物が切断装置１１によって切断されて、刈取作物が掻込オーガ１２によって掻き込まれて、フィーダ１３によって脱穀装置５に搬送される。
【００２３】
収穫部３には、側部メッシュ部材１６と、後部メッシュ部材１７と、が備えられている。収穫部３の下部のうち左端部と右端部には、左ソリ体１８と右ソリ体１９がそれぞれ取り付けられている。
【００２４】
〔運転キャビン〕
運転キャビン４の前面には、フロントガラス２０が設けられている。運転キャビン４には、運転座席２１、メータパネル２２、サイドパネル２３、操向レバー２４等が備え付けられている。運転座席２１の前方、メータパネル２２の下方及び操向レバー２４の下方には、それぞれ空間が形成されている。
【００２５】
〔フィーダ〕
フィーダ１３は、機体左右方向に延びる軸心Ｘ１周りで揺動可能に機体に支持されている。フィーダ１３と機体フレーム２に亘って、油圧シリンダ（図示省略）が設けられている。フィーダ１３が前記油圧シリンダによって軸心Ｘ１周りで揺動されて、収穫部３が昇降される。
【００２６】
〔刈取フレーム〕
刈取フレーム１４には、左右一対の側板３０Ｌ・３０Ｒと、刈取作物を受け入れるデッキ３１と、後板３２と、が備えられている。デッキ３１の前端部には、刈幅方向に延びて切断装置１１を支持する横フレーム３３がボルト固定されている。
【００２７】
〔デバイダ〕
左側のデバイダ９Ｌは、刈取フレーム１４のうち左側の側板３０Ｌの前端部に設けられている。右側のデバイダ９Ｒは、刈取フレーム１４のうち右側の側板３０Ｒの前端部に設けられている。通常の回り刈り（左回りの回り刈り）では、右側のデバイダ９Ｒが既刈地側に位置し、左側のデバイダ９Ｌが未刈地側に位置することになる。
【００２８】
〔掻込オーガ〕
掻込オーガ１２は、刈取フレーム１４のうち左右一対の側板３０Ｌ・３０Ｒに回転可能に支持されている。掻込オーガ１２は、刈取作物を左スクリュ羽根３９及び右スクリュ羽根４０によってフィーダ１３の前方に横送り搬送して、掻込フィンガー４１によってフィーダ１３に掻き込むように構成されている。
【００２９】
〔掻込リール〕
図３から図５に示すように、掻込リール１０は、その回転軸１０ａを介して、リールフレーム２５に回転可能に支持されている。リールフレーム２５は、その回転軸２５ａが刈取フレーム１４のうち後板３２にステー２５ｂ（図１３参照）によって取り付けられて、機体左右方向に延びる軸心Ｘ２周りで揺動可能に刈取フレーム１４に支持されている。リールフレーム２５と刈取フレーム１４に亘って、左右一対の油圧シリンダ２６が設けられている。リールフレーム２５が油圧シリンダ２６によって軸心Ｘ２周りで揺動されて、掻込リール１０が昇降される。
【００３０】
回転軸１０ａの左右両端部には、それぞれリールディスク２７が設けられている。左右のリールディスク２７の各頂部に亘って、タイン支持ロッド２８が架設されている。タイン支持ロッド２８には、植立作物に掻込作用するタイン２９が複数取り付けられている。タイン２９は、掻込リール１０の回転に拘わらず、タイン支持ロッド２８から下方に延出した姿勢に保持される。複数のタイン２９は、刈幅方向に間隔Ｄ（等間隔）をあけて設けられている。
【００３１】
〔切断装置〕
図６及び図７に示すように、切断装置１１は、刈幅方向に往復動するバリカン式に構成されている。切断装置１１には、刈幅方向に往復動する刈刃３４と、刈刃３４を駆動操作するナイフバー３５と、刈刃３４を保持するナイフクリップ３６と、が備えられている。ナイフクリップ３６は、横フレーム３３にボルト３７及びナット３８によって固定されている。刈刃３４がナイフバー３５によって刈幅方向に往復動されて、植立作物が刈刃３４によって切断される。
【００３２】
〔タイン〕
図１０及び図１１に示すように、タイン２９は、断面形状がＴ字形状（略Ｔ字形状を含む）に形成されている。タイン２９は、例えば、金属製の部材によって構成されている。タイン２９には、刈幅方向に沿う横向き部２９Ａと、刈幅方向に直交する方向に沿う縦向き部２９Ｂと、が備えられている。タイン２９は、縦向き部２９Ｂが後方を向く姿勢でタイン支持ロッド２８に取り付けられている。
【００３３】
縦向き部２９Ｂの上端部には、プレート４２が溶接固定されている。プレート４２のうち横向き部２９Ａ側の面には、溶接ナット４３が設けられている。タイン支持ロッド２８には、タイン支持ロッド２８に沿って延びるチャンネル部材４４が設けられている。タイン２９のうちプレート４２側の端部をチャンネル部材４４に嵌め込んで、チャンネル部材４４に対して後方からボルト５９によって固定している。
【００３４】
〔側部メッシュ部材〕
図３及び図１２に示すように、側部メッシュ部材１６は、未刈側に位置する左側のデバイダ９Ｌに設けられている。側部メッシュ部材１６は、刈取フレーム１４のうち左側の側板３０Ｌにおける上面と前面に取り付けられている。
【００３５】
側部メッシュ部材１６は、掻込リール１０の左側方に位置して前後方向及び上下方向に平面状に広がるように構成されている。側部メッシュ部材１６は、その前端位置が左右一対のデバイダ９Ｌ・９Ｒよりも前側の位置に設定され、かつ、その後端位置が刈取フレーム１４の後端部に対応する位置に設定され、かつ、その上端位置が掻込リール１０（下降状態の掻込リール１０）よりも上側の位置に設定され、かつ、その下端位置が刈取フレーム１４の下端部に対応する位置に設定されている。側部メッシュ部材１６が油圧シリンダ２６を横外方から覆って、油圧シリンダ２６への植立作物の巻き付きを防止している。側部メッシュ部材１６の網目の大きさは、運転キャビン４からの視認性を損なわない程度の大きさに設定されている。
【００３６】
側部メッシュ部材１６には、第一ガイド部材４５と、第二ガイド部材４６と、が取り付けられている。第一ガイド部材４５は、掻込リール１０の近傍まで延びて、植立作物を掻込リール１０に案内する。第二ガイド部材４６は、切断装置１１の近傍まで延びて、植立作物を切断装置１１に案内する。
【００３７】
側部メッシュ部材１６がメッシュ状の部材であることにより、視認性を損なうことなく、作物の案内状況を視認（例えば、図２のＲ１の範囲）することができる。なお、範囲Ｒ１は、例示であり、運転者の体格や姿勢、目線等によって多少変動する。
【００３８】
〔後部メッシュ部材〕
図３及び図１３に示すように、後部メッシュ部材１７は、掻込リール１０の後方に位置して刈幅方向及び上下方向に平面状に広がるように構成されている。後部メッシュ部材１７は、刈取フレーム１４のうち後板３２における上面に取り付けられている。後部メッシュ部材１７は、その上端位置が掻込リール１０（下降状態の掻込リール１０）よりも上側の位置に設定され、その左右両端位置が刈取フレーム１４の左右両端部に対応する位置に設定されている。後部メッシュ部材１７は、側面視において、側部メッシュ部材１６の後辺部と略平行な姿勢となっている。後部メッシュ部材１７の網目の大きさは、運転キャビン４からの視認性を損なわない程度の大きさに設定されている。
【００３９】
これにより、トウモロコシ房状体（トウモロコシの粒等）が掻込リール１０や掻込オーガ１２の回転によって後方に跳ね飛ばされても、後部メッシュ部材１７に当たって刈取フレーム１４（デッキ３１）上に落下することになり、トウモロコシ房状体を回収することができる。
【００４０】
また、後部メッシュ部材１７がメッシュ状の部材であることにより、視認性を損なうことなく、運転キャビン４内における上述の空間（運転座席２１の前方、メータパネル２２の下方及び操向レバー２４の下方の各空間）を通して、運転者が運転座席２１から前方を視認（例えば、図１のＲ２の範囲）したり、掻込オーガ１２の掻込状況、切断装置１１の刈跡、左側のデバイダ９Ｌの条合わせ状況、右側のデバイダ９Ｒの条合わせ状況等を視認（例えば、図１及び図２のＲ３の範囲）したりすることができる。なお、範囲Ｒ２、Ｒ３は、例示であり、運転者の体格や姿勢、目線等によって多少変動する。
【００４１】
〔左ソリ体〕
図１４に示すように、左ソリ体１８には、底板部４７が備えられている。底板部４７は、その前端部が前上がりに傾斜すると共に、その後端部が後上がりに傾斜するように形成されている。底板部４７の前部と後部には、前取付け板部４８と後取付け板部４９がそれぞれ立設されている。
【００４２】
前取付け板部４８は、刈取フレーム１４のうち左側の側板３０Ｌの前端部にボルト固定されている。後取付け板部４９は、刈取フレーム１４のうちデッキ３１の左端部にボルト固定されている。前取付け板部４８と後取付け板部４９に亘って、連結部５０が設けられている。後取付け板部４９と底板部４７に亘って、リブ５１が設けられている。
【００４３】
〔右ソリ体〕
図１５に示すように、右ソリ体１９には、底板部５２が備えられている。底板部５２は、その前端部が前上がりに傾斜すると共に、その後端部が後上がりに傾斜するように形成されている。底板部５２の前部と後部には、前取付け板部５３と後取付け板部５４がそれぞれ立設されている。
【００４４】
前取付け板部５３は、刈取フレーム１４のうち右側の側板３０Ｒの前端部にボルト固定されている。後取付け板部５４は、刈取フレーム１４のうちデッキ３１の右端部にボルト固定されている。前取付け板部５３と後取付け板部５４に亘って、連結部５５が設けられている。連結部５５の後端部は、当て板５６に当接されている。
【００４５】
これにより、図１に示すように、収穫部３を下降させたときに、左ソリ体１８及び右ソリ体１９が収穫部３よりも先に接地することになる。これにより、収穫部３と地面との間に左ソリ体１８及び右ソリ体１９の高さに応じた隙間が生じることになって、収穫部３の地面への突っ込みをや受け板１５の地面への接触を防止することができる。
【００４６】
〔受け板〕
図６及び図７に示すように、複数の受け板１５は、刈幅方向に間隔Ｄ（等間隔）をあけて設けられている。すなわち、複数の受け板１５の間隔Ｄは、複数のタイン２９の間隔Ｄ（図５参照）と同じ間隔に設定されている。また、隣り合う受け板１５の隙間Ｇは、植立作物から離脱したトウモロコシ房状体を受け止めることができる程度において、タイン２９（横向き部２９Ａ）の幅（刈幅方向の長さ）Ｂ（図５参照）よりも大きく設定されている。隣り合う受け板１５の間には、タイン２９が通過可能なタイン通過部Ｐが形成されている
【００４７】
これにより、タイン２９がタイン通過部Ｐを通過することにより、受け板１５がタイン２９の動作を阻害することなく、植立作物をタイン２９によってしっかりと掻き込むことができる。しかも、トウモロコシ房状体がタイン通過部Ｐに挟まったとしても、トウモロコシ房状体をタイン２９によって掻き出すことができる。
【００４８】
受け板１５は、刈刃３４に対して略平行な状態（厳密には、刈刃３４に対して若干前上がりに傾斜する状態）で刈刃３４の上方を通って刈刃３４よりも前側まで延びている。受け板１５の前端位置は、左右一対のデバイダ９Ｌ・９Ｒよりも前側に突出しない範囲で、できるだけ前方に位置するように設定されている。受け板１５は、ステー５７にボルト５８によって片持ち状態で固定されている。
【００４９】
図８及び図９に示すように、受け板１５は、刈幅方向に山部１５ａ、１５ｃと谷部１５ｂ、１５ｄが並ぶ断面形状の波板状部材（例えば、金属製の部材）によって構成され、かつ、前部側が先細り形状（具体的には、鋭角な三角形状）に形成されている。受け板１５は、先細り形状の先端部１５Ａと、先端部１５Ａから後方に延びる直線部１５Ｂと、を有している。受け板１５には、第一山部１５ａと、左右一対の第一谷部１５ｂと、左右一対の第二山部１５ｃと、左右一対の第二谷部１５ｄと、左右一対の上向き傾斜部１５ｇと、が形成されている。受け板１５は、その中心Ｃ（刈幅方向の中心）に対して対称な形状に形成されている。
【００５０】
第一山部１５ａは、その頂部が突起状に形成されている。第二山部１５ｃは、第一山部１５ａよりも高く、その頂部が平面状に形成されている。第二山部１５ｃの後部には、ボルト５８に対応するボルト孔１５ｅが形成されている。第二山部１５ｃの下面のうちボルト孔１５ｅに対応する部分には、ステー１５ｆが取り付けられている。なお、ステー１５ｆは、図９に示す形状等に限定するものではない。また、ステー１５ｆが設けられていなくてもよい。
【００５１】
第一谷部１５ｂは、その底部が突起状に形成されている。第二谷部１５ｄは、第一谷部１５ｂよりも深く、その底部が平面状に形成されている。
【００５２】
上向き傾斜部１５ｇは、受け板１５の左右両端部にそれぞれ形成されている。上向き傾斜部１５ｇは、タイン通過部Ｐに近付くほど（すなわち、受け板１５の中心Ｃから離れるほど）上方に位置するように傾斜している。
【００５３】
これにより、タイン通過部Ｐに向かって落下するトウモロコシ房状体に対して、左側の上向き傾斜部１５ｇ及び右側の上向き傾斜部１５ｇが抵抗になるため、トウモロコシ房状体がタイン通過部Ｐに挟まり難い。仮に、トウモロコシ房状体がタイン通過部Ｐに挟まったとしても、トウモロコシ房状体が左側の上向き傾斜部１５ｇ及び右側の上向き傾斜部１５ｇによって上方に案内されながら、タイン２９によって掻き出されることになるため、トウモロコシ房状体をタイン２９によって容易に掻き出すことができる。
【００５４】
本実施形態では、受け板１５の先端部の剛性を向上させるべく、左右一対の第一谷部１５ｂの底部の間隔を小さくして、第一山部１５ａ及び左右一対の第一谷部１５ｂが受け板１５の前端部まで届くようにしていると共に、ボルト５８による固定強度を向上させるべく、左右一対の第二山部１５ｃの頂部を幅広にして、左右一対のボルト孔１５ｅの間隔が大きくなるようにしている。
【００５５】
〔ステー〕
図１６から図１９に示すように、ステー５７は、刈刃３４の下方を通って刈刃３４よりも前側まで延びて刈刃３４よりも前側の位置で受け板１５を下方から支持している。ステー５７には、左右一対の延出部５７Ａと、取付け部５７Ｂと、左右一対のガイド部５７Ｃと、が形成されている。ステー５７は、例えば、金属製の部材によって構成されている。
【００５６】
ステー５７は、刈刃３４の下面に沿う状態で、横フレーム３３にボルト３７及びナット３８によって固定されている。その際、複数のステー５７のうちナイフクリップ３６の位置に対応するステー５７は、ナイフクリップ３６と共に横フレーム３３にボルト３７及びナット３８によって固定されている。なお、複数のステー５７の全てが、ナイフクリップ３６と共締めされていてもよい。
【００５７】
延出部５７Ａは、刈刃３４の下方を通って刈刃３４よりも前側まで延びている。左右一対の延出部５７Ａの後端部は、連結部５７Ｄによって連結されている。延出部５７Ａの後端部には、ボルト３７に対応するボルト孔５７ａが形成されていると共に、後方に突出する当接部５７Ｅが形成されている。当接部５７Ｅが横フレーム３３に当接することにより、横フレーム３３に対するステー５７の固定状態が安定する。
【００５８】
延出部５７Ａの前端部には、刈刃３４よりも上側に立ち上がる立ち上がり部５７Ｆが形成されている。延出部５７Ａの横外側面には、前後方向に延びて作物（隣り合う受け板１５の間に入り込んだ作物）をガイドするガイド面５７Ｇが形成されている。延出部５７Ａの上部には、ナイフバー３５との干渉を防ぐための凹部５７ｃが形成されている。
【００５９】
取付け部５７Ｂには、受け板１５の後端部がボルト５８によって固定されている。取付け部５７Ｂは、左右一対の立ち上がり部５７Ｆに亘るように、立ち上がり部５７Ｆと一体的に形成されている。取付け部５７Ｂには、ボルト５８に対応する左右一対のボルト孔５７ｂが形成されている。
【００６０】
ガイド部５７Ｃは、受け板１５の両横端部（刈幅方向両端部）に対応する両位置に設けられて、受け板１５と刈刃３４との上下間において、前後方向に延びて作物（隣り合う受け板１５の間に入り込んだ作物）をガイドする。ガイド部５７Ｃは、立ち上がり部５７Ｆから後方に延びるように、立ち上がり部５７Ｆと一体的に形成されている。ガイド部５７Ｃと延出部５７Ａとの間には、刈刃３４が入り込む溝５７ｄが形成されている。
【００６１】
〔収穫部の高刈り作業〕
図２０に示すように、トウモロコシＡを収穫する場合、稈長が長いことから、収穫部３を上昇させた状態で刈取作業（高刈り作業）を行うことになる。そして、この場合、掻込リール１０が植立作物を掻き込む際に、掻込リール１０が植立作物に接触してトウモロコシ房状体Ａａが植立作物から離脱したとしても、トウモロコシ房状体Ａａが切断装置１１の前側の地面に落下する前に、受け板１５によって受け止められることになる。この状態では、受け板１５は、前上がりの傾斜姿勢となっている。そして、受け板１５上のトウモロコシ房状体Ａａは、タイン通過部Ｐを通過するタイン２９によって掻き込まれて回収される。これにより、収穫部３におけるトウモロコシ房状体Ａａのロスを抑制することができる。
【００６２】
また、収穫部３を上昇させた状態では、後部メッシュ部材１７が掻込リール１０と同等の高さとなっている。その際、後部メッシュ部材１７がメッシュ状の部材であることにより、視認性を損なうことなく、運転者が運転座席２１から前方を視認（例えば、図２０のＲ２の範囲）することができる。
【００６３】
ここで、トウモロコシの場合、稈が太くて硬いと共に、高刈り作業により残稈の高さも高くなる。そうすると、残稈が機体フレーム２の下側の油圧ホース（図示省略）やハーネス（図示省略）に引っ掛かったりして、これらが破損することが懸念される。そこで、このような事態を回避するべく、前記油圧ホースや前記ハーネスを部分的に又は全体的に覆ってこれらを保護するカバー（図示省略）を設けている。
【００６４】
〔別実施形態〕
（１）図２１から図２４に示すように、上向き傾斜部１５ｇに、タイン通過部Ｐ側に突出する弾性板６１（本発明に係る「弾性部材」に相当）が取り付けられていてもよい。弾性板６１は、弾性変形可能な板状部材（例えば、ゴム製の板状部材等）によって構成されている。弾性板６１は、受け板１５のうち、先端部１５Ａと直線部１５Ｂとの境界箇所から切断装置１１の上方に位置する箇所まで延びている。
【００６５】
図２１及び図２２に示す例では、弾性板６１として厚さが薄い板状部材を採用している。左側の弾性板６１のうちタイン通過部Ｐ側の端部と、右側の弾性板６１のうちタイン通過部Ｐ側の端部との間に、隙間がない状態となっている。
【００６６】
図２３から図２５に示す例では、弾性板６１として厚さが厚い板状部材を採用している。左側の弾性板６１のうちタイン通過部Ｐ側の端部と、右側の弾性板６１のうちタイン通過部Ｐ側の端部との間に、隙間がある状態となっている。厚さが厚い弾性板６１の場合、図２５に示すように、弾性板６１の先端部のうちタイン通過部Ｐ側の角部に、切欠部６１ａが形成されていてもよい。
【００６７】
（２）上記実施形態では、タイン２９が備えられているが、これに代えて、図２６及び図２７に示すように、第一タイン１２９Ａと、第二タイン１２９Ｂと、を有するタイン１２９が備えられていてもよい。
【００６８】
図２６及び図２７に示すように、第一タイン１２９Ａは、受け板１５で受け止められた作物を後方に掻き込み可能に構成されている。図２６中の符号ＴＡは、第一タイン１２９Ａの先端軌跡を示している。第二タイン１２９Ｂは、第一タイン１２９Ａよりも長く且つタイン通過部Ｐを通過して作物を後方に掻き込み可能に構成されている。図２６中の符号ＴＢは、第二タイン１２９Ｂの先端軌跡を示している。
【００６９】
（３）上記実施形態では、本発明に係る「受け部材」が受け板１５であるが、これに代えて、図２８から図３０に示すように、同「受け部材」が受け板１１５であってもよい。
【００７０】
図２８から図３０に示すように、受け板１１５は、刈幅方向に山部１１５ｂ、１１５ｄと谷部１１５ａ、１１５ｃが並ぶ断面形状の波板状部材（例えば、金属製の部材）によって構成され、かつ、前部側が先細り形状（具体的には、鋭角な三角形状）に形成されている。受け板１１５には、第一谷部１１５ａと、左右一対の第一山部１１５ｂと、左右一対の第二谷部１１５ｃと、左右一対の第二山部１１５ｄと、が形成されている。受け板１１５は、その中心Ｃ（刈幅方向の中心）に対して対称な形状に形成されている。
【００７１】
第一谷部１１５ａは、その底部が突起状に形成されている。第二谷部１１５ｃは、第一谷部１１５ａよりも深く、その底部が平面状に形成されている。第二谷部１１５ｃの後部には、ボルト５８に対応するボルト孔１１５ｅが形成されている。第二谷部１１５ｃの下面のうちボルト孔１１５ｅに対応する部分には、補強用のプレート１１５ｆが取り付けられている。
【００７２】
第一山部１１５ｂは、その頂部が突起状に形成されている。第二山部１１５ｄは、第一山部１１５ｂよりも高く、その頂部が平面状に形成されている。
【００７３】
（４）上記実施形態及び上記別実施形態では、作物としてトウモロコシを収穫する作業形態を想定しているが、稲、麦、そば、大豆等の作物を収穫する作業形態であってもよい。
【００７４】
（５）ステー５７の形状や材質は、上記実施形態に係る形状や材質に限らず、種々の形状や材質を採用することができる。
【００７５】
（６）上記実施形態及び上記別実施形態では、受け板１５（１１５）の支持構造として、ステー５７と横フレーム３３による支持構造を採用しているが、その他の支持構造を採用してもよい。
【００７６】
（７）上記実施形態及び上記別実施形態では、受け板１５（１１５）が波板状部材によって構成されているが、例えば、平板状部材によって構成されていてもよいし、あるいは、円弧形状の板状部材によって構成されていてもよい。すなわち、受け板１５（１１５）の形状や材質は、上記実施形態に係る形状や材質に限らず、種々の形状や材質を採用することができる。
【００７７】
（８）上記実施形態及び上記別実施形態では、タイン２９（１２９）は、断面形状がＴ字形状に形成されているが、爪式のタインによって構成されていてもよい。
【００７８】
（９）上記実施形態及び上記別実施形態では、タイン２９（１２９）は、金属製の部材によって構成されているが、樹脂製の部材によって構成されていてもよい。
【産業上の利用可能性】
【００７９】
本発明は、稲、麦、そば、大豆、トウモロコシ等の作物を収穫するコンバインに利用可能である。
【符号の説明】
【００８０】
３  収穫部
１０  掻込リール
１１  切断装置
１５  受け板（受け部材）
１５Ａ  先端部
１５Ｂ  直線部
１５ａ  第一山部
１５ｂ  第一谷部
１５ｃ  第二山部
１５ｄ  第二谷部
１５ｇ  上向き傾斜部
２９  タイン
３１  デッキ
６１  弾性板（弾性部材）
１１５  受け板（受け部材）
１１５ａ  第一谷部
１１５ｂ  第一山部
１１５ｃ  第二谷部
１１５ｄ  第二山部
１２９  タイン
１２９Ａ  第一タイン
１２９Ｂ  第二タイン
Ｐ  タイン通過部
【図１】
2018082651.tif 000003
【図２】
2018082651.tif 000004
【図３】
2018082651.tif 000005
【図４】
2018082651.tif 000006
【図５】
2018082651.tif 000007
【図６】
2018082651.tif 000008
【図７】
2018082651.tif 000009
【図８】
2018082651.tif 000010
【図９】
2018082651.tif 000011
【図１０】
2018082651.tif 000012
【図１１】
2018082651.tif 000013
【図１２】
2018082651.tif 000014
【図１３】
2018082651.tif 000015
【図１４】
2018082651.tif 000016
【図１５】
2018082651.tif 000017
【図１６】
2018082651.tif 000018
【図１７】
2018082651.tif 000019
【図１８】
2018082651.tif 000020
【図１９】
2018082651.tif 000021
【図２０】
2018082651.tif 000022
【図２１】
2018082651.tif 000023
【図２２】
2018082651.tif 000024
【図２３】
2018082651.tif 000025
【図２４】
2018082651.tif 000026
【図２５】
2018082651.tif 000027
【図２６】
2018082651.tif 000028
【図２７】
2018082651.tif 000029
【図２８】
2018082651.tif 000030
【図２９】
2018082651.tif 000031
【図３０】
2018082651.tif 000032